(57)【要約】【課題】  開放されたままのヘッド部用開口部を設けたディスクカートリッジに収納された光ディスクの保護を図る。【解決手段】  光ディスク６を回転可能に収納したディスクカートリッジ１の一方の面に設けられたヘッド部用開口部１３に嵌合して閉塞する開口部閉塞板２２と、ヘッド部用開口部１３内に設けられた閉塞板支持部１８により支持されて開口部閉塞板２２のディスクカートリッジ１内への進入を防止する進入規制部２５と、ディスクカートリッジ１のヘッド部用開口部１３が設けられた一方の面に対向する他方の面側に延在される覆板２３と、開口部閉塞板２２と覆板２３とを連結する連結板２４と有し、開口部閉塞板２２と覆板２３とによりディスクカートリッジ１を挟持して着脱自在に取り付けられる。【選択図】  図２
2006164452.tif 000002
【特許請求の範囲】
【請求項１】
ディスクを回転可能に収納したディスクカートリッジの一方の面に設けられた上記ディスクの一部を内外周に亘って外方に臨ませる開口部に嵌合して閉塞する開口部閉塞板と、
上記ディスクカートリッジに設けた開口部内に設けられた支持部により支持されて上記開口部閉塞板の上記ディスクカートリッジ内への進入を防止する進入規制部と、
上記ディスクカートリッジの上記開口部が設けられた一方の面に対向する他方の面側に延在される覆板と、
上記開口部閉塞板の基端部側と上記覆板の基端部側とを連結する連結板と有し、
上記開口部閉塞板と上記覆板とにより上記ディスクカートリッジを挟持して着脱自在に取り付けられることを特徴とするディスクカートリッジ用の保護部材。
【請求項２】
さらに、上記ディスクカートリッジの一部に係合して上記ディスクカートリッジへ支持を行うカートリッジ支持部を備えることを特徴とする請求項１記載のディスクカートリッジ用の保護部材。
【請求項３】
上記開口部閉塞板は、先端部に、ディスクカートリッジの開口部に嵌合されるとき、上記開口部から上記ディスクカートリッジの内方に進入する進入部が形成されていることを特徴とする請求項１記載のディスクカートリッジ用の保護部材。
【請求項４】
上記開口部閉塞板は、ディスクカートリッジの一方の面と面一になって上記開口部に嵌合されることを特徴とする請求項１記載のディスクカートリッジ用の保護部材。
【請求項５】
ディスク記録及び／又は再生装置への誤挿入を防止する誤挿入防止部が設けられていることを特徴とする請求項１記載のディスクカートリッジ用の保護部材。
【請求項６】
上記誤挿入防止部は、上記覆板であることを特徴とする請求項５記載のディスクカートリッジ用の保護部材。
【請求項７】
上記覆板は、上記ディスクカートリッジの他方の面を透視可能となす透明な材料により形成されていることを特徴とする請求項１記載のディスクカートリッジ用の保護部材。
【請求項８】
上記覆板には、上記ディスクカートリッジの他方の面を外方に臨ませる窓部が形成されていることを特徴とする請求項１記載のディスクカートリッジ用の保護部材。
【請求項９】
ディスクと、
上記ディスクを回転可能に収納し、上記ディスクの一部を内外周に亘って外方に臨ませる開口部を一方の面に形成したカートリッジ本体と、
上記開口部に嵌合して閉塞する開口部閉塞板と、上記ディスクカートリッジに設けた開口部内に設けられた支持部により支持されて上記開口部閉塞板の上記カートリッジ本体内への進入を防止する進入規制部と、上記カートリッジ本体の上記開口部が設けられた一方の面に対向する他方の面側に延在される覆板と、上記開口部閉塞板の基端部側と上記覆板の基端部側とを連結する連結板と有し、上記開口部閉塞板と上記覆板とにより上記カートリッジ本体を挟持して上記カートリッジ本体に着脱自在に取り付けられる保護部材と
からなるディスクカートリッジ。
【発明の詳細な説明】
【技術分野】
【０００１】
本発明は、情報記録媒体として用いられる光ディスク等のディスクを収納したディスクカートリッジに着脱可能に装着され、ディスクカートリッジに設けられたディスクの一部を内外周に亘って外方に臨ませる記録及び／又は再生部を臨ませるための開口部を閉塞する開口部閉塞板を備えたディスクカートリッジ用の保護部材及びこの保護部材を用いたディスクカートリッジに関する。
【背景技術】
【０００２】
従来、情報記録媒体として用いられる光ディスク等のディスクをカートリッジ本体に回転可能に収納し、ディスクをカートリッジ本体に収納したままの状態で記録及び／又は再生装置に装着されるディスクカートリッジが広く用いられている。この種のディスクカートリッジは、光ディスク等のディスクをカートリッジ本体に収納することにより、ディスクを図り、ディスク記録及び／又は再生装置への装脱を容易に行うことを可能としている。
【０００３】
この種のディスクカートリッジにあっては、カートリッジ本体に収納した例えば光ディスクの信号記録領域の一部を、光ディスクの内外周に亘って外方に臨ませる記録及び／又は再生用の開口部が設けられている。記録及び／又は再生用の開口部には、ディスク記録及び／又は再生装置側に設けた記録再生手段を構成する光ピックアップ装置や磁気ヘッド装置が臨み、これら光ピックアップ装置及び／又は磁気ヘッド装置により光ディスクの信号記録領域を走査することによって、光ディスクに対する情報信号の記録又は再生が行われる。
【０００４】
ところで、カートリッジ本体に設けた記録及び／又は再生用の開口部が開放されたままの状態におかれると、ディスクカートリッジの保管時に塵埃がカートリッジ本体内に侵入し、光ディスクを汚損させ、さらにディスク記録及び／又は再生装置への装脱時等の取り扱い時に、カートリッジ本体内に侵入する異物により光ディスクを損傷させてしまうおそれがある。
【０００５】
このような問題点を解消するため、ディスクカートリッジには、記録及び／又は再生用開口部を開閉するシャッタ部材が設けられている。シャッタ部材が設けられることにより、ディスク記録及び／又は再生装置に装着されない保管時等において、記録及び／又は再生用開口部がシャッタ部材により閉塞された状態におかれるので、カートリッジ本体に収納した光ディスクの確実な保護を図ることができる。
【０００６】
この種のディスクカートリッジにおいて、記録及び／又は再生用開口部を開閉するシャッタ部材をディスクカートリッジに着脱自在としたものが特許文献１に開示されている。
【０００７】
【特許文献１】特開２００３−１０９３５０
【発明の開示】
【発明が解決しようとする課題】
【０００８】
ところで、情報記録媒体として用いられるディスク状記録媒体、特に、光学手段を用いて情報の記録又は再生を行うようにした光ディスクにあっては、高記録密度化が図られるとともに、高容量化が図られている。その結果、光ディスクにあっては、小型化を図りながら高容量化を実現し、人の掌に乗る程度に小型化されたものが提案されている。
【０００９】
このように小型化されたディスクカートリッジにおいても、記録及び／又は再生用の開口部をディスクカートリッジの小型化に合わせて小さくすることが困難である、
例えば、光ディスクの信号記録領域を走査して情報信号の記録又は再生を行うための光ピックアップは、光ビームを光ディスクに集光するための対物レンズや、この対物レンズを駆動変位させるためのアクチュエータを必須の構成要素とし、小型化することが困難である。
【００１０】
また、高密度化が図れた光ディスクに対し情報信号を記録し又は再生するためには、光学ピックアップを光ディスクに近付ける必要がある。これは、開口数（ＮＡ）の大きな対物レンズを用いて光ディスク上に集光される光ビームのスポット径を小さくするためである。光ピックアップを光ディスクに近付けるためには、少なくともその一部をディスクカートリッジ内に進入させる必要がある。
【００１１】
ディスクカートリッジの小型化に合わせて小型化を図ることが困難な光ピックアップをディスクカートリッジ内に進入させるためには、記録及び／又は再生用の開口部を大きくする必要がある。ディスクカートリッジの大きさに比し記録及び／又は再生用の開口部が相対的に大きくなると、この開口部を開閉するに足るシャッタ部材をディスクカートリッジの平面内で移動可能に取り付けることができなくなる。そのため、記録及び／又は再生用の開口部を閉塞し、ディスクカートリッジに収納した光ディスクの保護を図ることが困難となる。
【００１２】
本発明の目的は、ディスクカートリッジの大きさに比し大きな記録及び／又は再生用の開口部を閉塞し、ディスクカートリッジに収納した情報記録媒体として用いられる光ディスク等のディスクの保護を図ることができるディスクカートリッジ用の保護部材を提供することにある。
【００１３】
本発明の他の目的は、ディスクカートリッジに設けた記録及び／又は再生用の開口部を確実に閉塞することができるディスクカートリッジ用保護部材を提供することにある。
【００１４】
本発明のさらに他の目的は、ディスクカートリッジの薄型化を図りながら記録及び／又は再生用の開口部を閉塞することができるディスクカートリッジ用の保護部材を提供することにある。
【００１５】
本発明のさらに他の目的は、光ディスク等のディスクを収納したカートリッジ本体の大きさに比し大きな記録及び／又は再生用の開口部を確実に閉塞し、カートリッジ本体に収納したディスクの保護を図ることができるディスクカートリッジを提供することにある。
【課題を解決するための手段】
【００１６】
上述したような目的を達成するために提案される本発明に係るディスクカートリッジ用の保護部材は、ディスクを回転可能に収納したディスクカートリッジの一方の面に設けられたディスクの一部を内外周に亘って外方に臨ませる開口部に嵌合して閉塞する開口部閉塞板と、ディスクカートリッジに設けた開口部内に設けられた支持部により支持されて開口部閉塞板のディスクカートリッジ内への進入を防止する進入規制部と、ディスクカートリッジの開口部が設けられた一方の面に対向する他方の面側に延在される覆板と、開口部閉塞板の基端部側と覆板の基端部側とを連結する連結板とを有し、開口部閉塞板と覆板とによりディスクカートリッジを挟持して着脱自在に取り付けられる。
【００１７】
この保護部材は、開口部閉塞板と覆板とによりディスクカートリッジを挟持して取り付けられることにより、開口部閉塞板により開口部を閉塞する。開口部閉塞板は、進入規制部がディスクカートリッジ側に設けた支持部により支持されることにより、ディスクカートリッジ内部への落ち込みが防止される。
【００１８】
本発明に係るディスクカートリッジ用の保護部材は、さらに、ディスクカートリッジの一部に係合してディスクカートリッジへ支持を行うカートリッジ支持部が設けられる。
【００１９】
開口部閉塞板の先端部には、ディスクカートリッジの開口部に嵌合されるとき、開口部からディスクカートリッジの内方に進入する進入部が形成されている。
【００２０】
開口部閉塞板は、ディスクカートリッジの一方の面と面一になって開口部に嵌合される。
【００２１】
このディスクカートリッジ用の保護部材には、ディスク記録及び／又は再生装置への誤挿入を防止する誤挿入防止部が設けられる。誤挿入防止部は、覆板により構成される。
【００２２】
また、覆板は、ディスクカートリッジに取り付けられたとき、ディスクカートリッジの他方の面を透視可能となす透明な材料により形成され、あるいは、ディスクカートリッジの他方の面を外方に臨ませる窓部が形成されている。
【００２３】
さらに、本発明は、ディスクカートリッジであり、このディスクを回転可能に収納し、ディスクの一部を内外周に亘って外方に臨ませる開口部を一方の面に形成したカートリッジ本体と、開口部に嵌合して閉塞する開口部閉塞板と、ディスクカートリッジに設けた開口部内に設けられた支持部により支持されて開口部閉塞板のカートリッジ本体内への進入を防止する進入規制部と、カートリッジ本体の開口部が設けられた一方の面に対向する他方の面側に延在される覆板と、開口部閉塞板の基端部側と覆板の基端部側とを連結する連結板と有し、開口部閉塞板と覆板とによりカートリッジ本体を挟持してカートリッジ本体に着脱自在に取り付けられる保護部材とからなる。
【発明の効果】
【００２４】
本発明に係るディスクカートリッジ用の保護部材は、ディスクカートリッジに取り付けられたとき、ディスクカートリッジに設けたディスクを外方に臨ませる開口部を閉塞し、収納したディスクの保護を図ることができる。
【００２５】
また、本発明に係るディスクカートリッジ用の保護部材は、開口部閉塞板をディスクカートリッジから突出させることなく取り付けることができるので、保護部材を取り付けたディスクカートリッジの薄型化を図ることができる。
【００２６】
さらに、ディスクカートリッジ用の保護部材は、ディスクカートリッジに取り付けられることにより、このディスクカートリッジのディスク記録及び／又は再生装置への誤挿入を防止できる。
【００２７】
さらにまた、ディスクカートリッジに取り付けた状態で、覆板を介してディスクカートリッジの他方の面を透視できるので、ディスクカートリッジの他方の面に施したラベルや印刷物を目視することができ、ディスクカートリッジの種類を判別できる。
【００２８】
さらにまた、本発明に係るディスクカートリッジは、ディスクを外方に臨ませる開口部を、着脱自在な保護部材により閉塞されるので、カートリッジ本体に比し大きく形成した開口部をも確実に閉塞し、カートリッジ本体に収納したディスクの確実な保護を図ることができる。
【発明を実施するための最良の形態】
【００２９】
以下、本発明に係るディスクカートリッジ用の保護部材及びこの保護部材が取り付けられるディスクカートリッジを図面を参照して説明する。
【００３０】
本発明に係るディスクカートリッジ用の保護部材が着脱自在に取り付けられるディスクカートリッジを説明すると、このディスクカートリッジ１は、図１及び図２に示すように、上下一対のハーフ３，４を突き合わせ結合して形成したカートリッジ本体５を備え、このカートリッジ本体５内に情報記録媒体として用いられるディスクである光ディスク６を回転可能に収納している。
【００３１】
このディスクカートリッジ１は、例えばテレビジョンゲームを実行するプログラムデータやビデオデータが記録された光ディスク６を収納したものであり、しかも、極めて小型に構成されている。そして、ディスクカートリッジ１は、例えば、直径を６０ｍｍ程度とする小径の光ディスク６を収納したものであって、片手の掌に収納し得る程度の大きさに形成されている。
【００３２】
なお、ここに示すディスクカートリッジ１は、プログラムデータ等の情報信号が予め記録された再生専用型の光ディスク６を収納したものである。
【００３３】
ディスクカートリッジ１を構成するカートリッジ本体５は、図１及び図２に示すように、このディスクカートリッジ１が装着されるディスク記録及び／又は再生装置への挿入端側となる前面を円弧状部７として形成している。この円弧状部７は、カートリッジ本体５内に構成されたディスク収納部８に収納された光ディスク６の中心を中心として半径を一定にしたほぼ半円の円弧状に形成されている。すなわち、円弧状部７は、カートリッジ本体５に収納された光ディスク６の半円に相当する部分と対向するような半円として形成されている。
【００３４】
カートリッジ本体５の円弧状部７に連続する相対向する側面は、互いに平行な側面９，１０として形成され、円弧状部７と対向する背面は、なだらかに湾曲して連続した湾曲部１１として形成されている。すなわち、カートリッジ本体５の背面側は、カートリッジ本体５の前面側に構成された半円状の円弧状部７より大きな半径である円弧状部７より曲率が小さい湾曲部１１とされている。
【００３５】
ディスクカートリッジ１は、挿入端側をほぼ半円の円弧状部７とし、さらに円弧状部７と対向する背面も湾曲部１１としているので、収納する光ディスク６に対し一層の小型化が実現されている。
【００３６】
そして、カートリッジ本体５の下面側を構成する下ハーフ４の中央部には、図２に示すように、カートリッジ本体５に収納した光ディスク６の中心部に形成したセンター穴６ａ及びその周縁を外方に臨ませる円形の中央開口部１２が形成されている。中央開口部１２には、このディスクカートリッジ１が装着されるディスク記録及び／又は再生装置側に設けられたディスク回転駆動機構の一部、例えばターンテーブルが進入する。
【００３７】
カートリッジ本体５の下面側を構成する下ハーフ４には、図２に示すように、記録及び／又は再生用開口部であるヘッド部用開口部１３が形成されている。ヘッド部用開口部１３は、カートリッジ本体５の一の側面９側に位置し、カートリッジ本体５に収納された光ディスク６の信号記録領域の一部を内外周に亘って外方に臨ませる足る大きさの矩形状に形成されている。すなわち、ヘッド部用開口部１３は、カートリッジ本体５の円弧状部７が形成された前面以外の直線状の平坦な面とされた一の側面９に臨んで形成されている。また、ヘッド部用開口部１３は、図２に示すように、下ハーフ４の一の側面９側は切り欠かれて開放されている。
【００３８】
本例のディスクカートリッジ１に設けられるヘッド部用開口部１３は、このディスクカートリッジが用いられるディスク記録及び／又は再生装置側に設けられる記録及び／又は再生手段を構成する光ピックアップの一部を進入させる大きさに形成されている。すなわち、ヘッド部用開口部１３は、光ビームを集光する対物レンズを含み、さらに、光学ピックアップの一部を進入させるに足る大きさに形成されている。したがって、ヘッド部用開口部１３は、カートリッジ本体５の大きさに比し大きな開口面積を有して形成されている。
【００３９】
また、本例のディスクカートリッジ１は、シャッタ部材が設けられたディスクカートリッジが用いられるディスク記録及び／又は再生装置にも装着可能とするように、カートリッジ本体５の一の側面９に、ディスク記録及び／又は再生装置側に設けられるシャッタ部材移動操作片が進入する操作片進入溝１４が設けられている。これは、ディスク記録及び／又は再生装置側に設けたシャッタ部材移動操作片との干渉を防止して、この装置への挿入を可能とするものである。
【００４０】
そして、シャッタ部材が設けられたディスクカートリッジが用いられるディスク記録及び／又は再生装置には、ヘッド部用開口部を閉塞するシャッタ部材をロックするロック機構を操作し、ヘッド部用開口部を開放した位置にシャッタ部材を支持しておくシャッタ部材支持機構が設けられる。そこで、本例のディスクカートリッジ１には、この種のディスク記録及び／又は再生装置に装着されたとき、ディスク記録及び／又は再生装置に装着されたとき、シャッタ部材支持機構からの押圧付勢力を回避するための凹部として形成された押圧力回避部１５がカートリッジ本体５の一の側面９に設けられている。
【００４１】
さらに、カートリッジ本体５の一の側面９に対向する他の側面１０側には、このディスクカートリッジ１が上下面を反転させてディスク記録及び／又は再生装置に装着される誤挿入を防止する誤挿入防止溝１６が設けられ、さらに、ディスク記録及び／又は再生装置側のローディング機構の一部を係合させるためのローディング用凹部１７が設けられている。
【００４２】
上述したように開放されたままの状態におかれるヘッド部用開口部１３は、ディスクカートリッジ１に着脱自在に取り付けられる保護部材２１により閉塞される。
【００４３】
保護部材２１は、図１及び図２に示すように、カートリッジ本体５に設けたヘッド部用開口部１３に嵌合して、このヘッド部用開口部１３を閉塞する開口部閉塞板２２と、カートリッジ本体５のヘッド部用開口部１３が設けられた面と対向する他方の面側に延在されこの他方の面を覆う覆板２３と、開口部閉塞板２２の基端部側と覆板２３の基端部側とを連結する連結板２４とからなる。すなわち、本例の保護部材２１は、カートリッジ本体５の両面に沿って延長される開口部閉塞板２２と覆板２３を連結板２４により連結して断面コ字状に形成されている。この保護部材２１は、合成樹脂材料を金型装置を用いて成形することによって形成される。
【００４４】
そして、保護部材２１は、図３及び図４に示すように、開口部閉塞板２２をヘッド部用開口部１３に嵌合させ、覆板２３をカートリッジ本体５の他方の面側に延在させることにより、開口部閉塞板２２と覆板２３とによりカートリッジ本体５を挟持するように取り付けられる。
【００４５】
開口部閉塞板２２は、保護部材２１がカートリッジ本体５に取り付けられたとき、ヘッド部用開口部１３を密閉して覆うようにするため、ヘッド部用開口部１３とほぼ同一の大きさを有する矩形状に形成されている。
【００４６】
また、開口部閉塞板２２には、図５に示すように、ヘッド部用開口部１３に嵌合されたとき、カートリッジ本体５内に落ち込んで光ディスク６に接触しないようにするため、進入規制部２５が設けられている。この進入規制部２５は、開口部閉塞板２２のヘッド部用開口部１３への進入側を幅狭とし、カートリッジ本体５の外方側に位置する部分が幅広となすような傾斜面部を開口部閉塞板２２の相対向する両側面に形成することにより構成される。すなわち、開口部閉塞板２２は、ヘッド部用開口部１３に嵌合したとき、傾斜面部により構成された進入規制部２５がヘッド部用開口部１３の側面により支持されることにより、外部負荷が加えられて弾性変形した場合であっても、カートリッジ本体５内へ進入が防止される。
【００４７】
そして、開口部閉塞板２２が嵌合するカートリッジ本体５側のヘッド部用開口部１３の相対向する両側面には、傾斜面部として形成された閉塞板支持部１８を設ける。これら閉塞板支持部１８は、進入規制部２５を構成する傾斜面部に対応する傾斜面部として形成する。このように、開口部閉塞板２２側に傾斜斜面部により構成された進入規制部２５を設け、この開口部閉塞板２２が嵌合するヘッド部用開口部１３側に、傾斜面部により構成された閉塞板支持部１８を設けることにより、図５に示すように、開口部閉塞板２２をヘッド部用開口部１３から突出させることなく、カートリッジ本体５の一方の面と面一となるようにヘッド部用開口部１３に嵌合することができる。
【００４８】
また、開口部閉塞板２２の先端部には、図６に示すように、ヘッド部用開口部１３に嵌合されたとき、ヘッド部用開口部１３からカートリッジ本体５の内方に進入するカートリッジ進入部２６が形成されている。カートリッジ進入部２６は、開口部閉塞板２２の先端部側からカートリッジ本体５の内方に向かって傾斜するように突出して形成されている。
【００４９】
本例の保護部材２１において、開口部閉塞板２２は、傾斜面部により構成された進入規制部２５を傾斜面部により構成された閉塞板支持部１８に支持させ、さらに、カートリッジ進入部２６をカートリッジ本体５内に進入させてヘッド部用開口部１３に嵌合するので、ヘッド部用開口部１３を確実に密閉することができる。
【００５０】
なお、ヘッド部用開口部１３に閉塞するように嵌合した開口部閉塞板２２のカートリッジ本体５への落ち込みを防止する進入規制部２５は、傾斜斜面部に限らず、ヘッド部用開口部１３の両側に係止されるものであればよく、例えば、開口部閉塞板２２の両側に段差部を設けることによって構成してもよい。この場合、ヘッド部用開口部１３の両側にも段差部を形成し得ることにより、開口部閉塞板２２をカートリッジ本体５の一方の面と面一となるようにヘッド部用開口部１３に嵌合することができる。
【００５１】
そして、開口部閉塞板２２と対向するように設けられ、保護部材２１をカートリッジ本体５に取り付けたとき、カートリッジ本体５の他方の面側に延在される覆板２３は、カートリッジ本体５の他方の面のほぼ全面を覆う大きさに形成されている。ここで、覆板２３は、カートリッジ本体５の他方の面を透視可能となすように透明な材料により形成されている。覆板２３が透明な材料により形成されることにより、保護部材２１を取り付けた状態でカートリッジ本体５の他方の面に設けた収納した光ディスク６に記録された内容が印刷されたラベルを目視することが可能となる。
【００５２】
なお、覆板２３に、光ディスク６に記録された内容を印刷したラベルを貼り付け、あるいはインクにより直接印刷するようにしてもよい。この場合には、覆板２３は、透明な材料により形成するまでもない。
【００５３】
上述のように形成された開口部閉塞板２２の基端部側と覆板２３の基端部側とを連結する連結板２４は、この保護部材２１が取り付けられるカートリッジ本体５の厚さにほぼ等しい幅をもって形成されている。また、連結板２４は、開口部閉塞板２２と同一の幅をもって形成され、ヘッド部用開口部１３のカートリッジ本体５の一の側面９に臨む開放された部分を閉塞するに足る大きさに形成されている。
【００５４】
ところで、開口部閉塞板２２と覆板２３との間の間隔Ｄ１は、カートリッジ本体５の厚さＤ２より小さくする構成される。このように構成されることにより、保護部材２１は、開口部閉塞板２２と覆板２３とによりカートリッジ本体５を圧着して取り付けられ、カートリッジ本体５から容易な脱落が防止される。
【００５５】
上述のように構成された保護部材２１は、開口部閉塞板２２をカートリッジ本体５のヘッド部用開口部１３が形成された一方の面側に臨ませ、覆板２３をカートリッジ本体５の他方の面側に延在するようにしてカートリッジ本体５を挿入するようにしていくことにより、このカートリッジ本体５に取り付ける。このとき、図４に示すように、開口部閉塞板２２がカートリッジ本体５のヘッド部用開口部１３に嵌合して閉塞し、この開口部閉塞板２２と覆板２３とによりカートリッジ本体５を圧着支持することにより、カートリッジ本体５からの脱落が防止されて取り付けられる。
【００５６】
なお、保護部材２１を一層確実にカートリッジ本体５に支持するようにするため、カートリッジ本体５の一部に係合してカートリッジ本体５へ支持を行うカートリッジ支持部を設けるようにしてもよい。このカートリッジ支持部としては、例えば、図８に示すように、連結板２４の両側に、ヘッド部用開口部１３の両側に係合する弾性変位可能な一対の係合爪片２９，２９を設ける。これら係合爪片２９，２９は、保護部材２１をカートリッジ本体５に取り付けたとき、ヘッド部用開口部１３内に進入し、ヘッド部用開口部１３のカートリッジ本体５の一の側面９に臨む部分の両側に弾性変位して係合するように形成されている。
【００５７】
このように係合爪片２９，２９からなる支持部を設けることにより、保護部材２１は、カートリッジ本体５からの脱落を防止して確実に取り付けることができる。
【００５８】
本発明に係る保護部材２１は、ディスクカートリッジ１に取り付けられたとき、覆板２３がカートリッジ本体５上に重ね合わせられるので、ディスクカートリッジ１の厚さを厚くする。その結果、ディスクカートリッジ１は、保護部材２１が取り付けられることにより、ディスク記録及び／又は再生装置への誤装着が防止可能となる。すなわち、ディスクカートリッジ１の厚さに対応したカートリッジ挿脱口が設けられたカートリッジホルダやディスク記録及び／又は再生装置への挿入が規制されることになる。
【００５９】
したがって、覆板２３は、ヘッド部用開口部１３を閉塞した保護部材２１が取り付けられたままの状態でディスク記録及び／又は再生装置への挿入を防止する誤挿入防止部となる。
【００６０】
また、保護部材２１の連結板２４は、ヘッド部用開口部１３のカートリッジ本体５の位置の側面９側に臨む開口された部分を覆うように形成されることにより、ディスク記録及び／又は再生装置側に設けられたシャッタ部材移動操作片のさらなる進入を防止することになり、保護部材２１を取り付けたディスクカートリッジ１のディスク記録及び／又は再生装置への挿入を禁止する誤挿入防止部として機能する。
【００６１】
上述した保護部材２１は、覆板２３を透明な材料により形成し、カートリッジ本体５の他の面を透視し得るように構成しているが、ディスクカートリッジ１に取り付けたとき、カートリッジ本体５の他の面を目視するようにするためには、図８に示すように、中央部に開口部３１を設けるようにしてもよい。
【００６２】
また、覆板２３は、開口部閉塞板２２とによってカートリッジ本体５を弾性的に挟持するように形成されるものでたり、カートリッジ本体５の他の面の全面を覆うようなものに限られず、カートリッジ本体５の他の面を一部を覆うなものであってもよい。
【００６３】
上述の説明では、本発明に係る保護部材２１は、構成を共通にするいずれのディスクカートリッジ１にも着脱自在に装着可能であるので、保護部材２１をもって本発明を構成するように説明したが、この保護部材２１は、特定のディスクカートリッジと組み合わせられて一のディスクカートリッジを構成するものでもあるので、本発明には、ディスクカートリッジを含むものである。
【００６４】
上述したように、本発明に係るディスクカートリッジ用の保護部材２１は、ディスクカートリッジ１に取り付けられてヘッド部用開口部１３を確実に閉塞し、ディスクカートリッジ１に収納した光ディスク６の確実な保護を図ることができる。
【００６５】
また、上述の説明では、光ディスクを収納したディスクカートリッジに用いられる例を挙げて説明したが、磁気ディスクや光磁気ディスク等のディスクを収納したディスクカートリッジに広く適用できることはいうまでもない。
【図面の簡単な説明】
【００６６】
【図１】本発明に係るディスクカートリッジ用の保護部材及びこの保護部材が取り付けられるディスクカートリッジを上ハーフ側から見た斜視図である。
【図２】本発明に係るディスクカートリッジ用の保護部材及びこの保護部材が取り付けられるディスクカートリッジを下ハーフ側から見た斜視図である。
【図３】本発明に係る保護部材をディスクカートリッジに取り付けた状態を上ハーフ側から見た斜視図である。
【図４】本発明に係る保護部材をディスクカートリッジに取り付けた状態を下ハーフ側から見た斜視図である。
【図５】開口部閉塞板によりヘッド部用開口部を閉塞した状態を示す断面図である。
【図６】開口部閉塞板の先端部をカートリッジ本体内に進入させた状態を断面図である。
【図７】ディスクカートリッジへの支持部を設けた保護部材を示す斜視図である。
【図８】覆板に開口部を設けた保護部材を示す斜視図である。
【符号の説明】
【００６７】
１  ディスクカートリッジ、  ５  カートリッジ本体、  ６  光ディスク、  １３  ヘッド部用開口部、  ２１  保護部材、  ２２  開口部閉塞板、  ２３  覆板、  ２４  連結板、  ２５  進入規制部
【図１】
2006164452.tif 000003
【図２】
2006164452.tif 000004
【図３】
2006164452.tif 000005
【図４】
2006164452.tif 000006
【図５】
2006164452.tif 000007
【図６】
2006164452.tif 000008
【図７】
2006164452.tif 000009
【図８】
2006164452.tif 000010